(57)【要約】【課題】遊技機の多様な形状や設置寸法に対応可能なノズルシュートを提供する。【解決手段】遊技媒体貸機１から払い出された遊技媒体を遊技機の遊技媒体受皿に導くノズルシュートである。ノズルシュート基部４は、一端が前記遊技媒体貸機１に回動自在に取り付けられ、上面長手方向に遊技媒体滑動面を有する。中間の本体部は、両側縁部に側壁を有し、前後端部に水平回動自在で着脱自在な連結部を有するノズルシュート関節部材７を複数個連結し、最後端がノズルシュート基部４の先端部に水平方向に回動自在に取り付けられている。ノズルシュート先端部材９は、両側縁部に側壁を有し、前記本体部の前端に水平方向に回動自在に取り付けられる。【選択図】                図１
2004154389.tif 000002
【特許請求の範囲】
【請求項１】
遊技媒体貸機から払い出された遊技媒体を遊技機の遊技媒体受皿に導くノズルシュートであって、
一端が前記遊技媒体貸機に対して水平方向に回動自在に取り付けられ、上面長手方向に遊技媒体滑動面を有し、両側縁部に側壁を有するノズルシュート基部と、前後端部に水平方向に回動自在な連結部を有し、上面長手方向に遊技媒体滑動面を有し、両側縁部に側壁を有するノズルシュート関節部材を複数個連結し、後端が前記ノズルシュート基部の先端部に水平方向に回動自在に取り付けられた本体部と、
後端部が前記本体部の前端に水平方向に回動自在に取り付けられ、上面長手方向に遊技媒体滑動面を有し、両側縁部に側壁を有するノズルシュート先端部材とを具えたことを特徴とするノズルシュート。
【請求項２】
前記ノズルシュート関節部材の連結部を着脱自在にしたことを特徴とする請求項１記載のノズルシュート。
【請求項３】
前記ノズルシュート関節部材の遊技媒体滑動面長手方向に突条を設けたことを特徴とする請求項１又は２記載のノズルシュート。
【請求項４】
前記ノズルシュート先端部材の遊技媒体滑動面を、ノズルシュート屈曲側が低くなるように傾斜させたことを特徴とする請求項１，２又は３記載のノズルシュート。
【発明の詳細な説明】
【０００１】
【発明の属する技術分野】
本発明は、スロットマシンやパチンコ台等の遊技機にメダルやパチンコ玉等の遊技媒体を案内するためのノズルシュートに関するものである。
【０００２】
【従来の技術】
パチンコホールには、パチンコ台やスロットマシン等の遊技台を多数列設した島が設置されており、それらの島では、遊技台の台間に、パチンコ玉や遊技用メダル等の遊技媒体を貸し出すための遊技媒体貸機が設置されている。その遊技媒体貸機は、内部に遊技媒体払出を具えており、前方には、払出部から払い出された遊技媒体を遊技台の受皿に導くノズルシュートが設けられている。
【０００３】
図７は、従来のメダル貸機及びノズルシュートを示す図である。メダル貸機４２は、横方向に列設されたスロットマシン４０，４０の間に配置され、メダル貸機４２の前部にはノズルシュート４４が設けられている。ノズルシュート４４は、回動軸４５を中心にして回動自在に支持され、スロットマシン４０の寸法に合わせて位置決めすることにより、メダル貸機４２のメダル払出部４３からメダル受皿４１内にメダルを排出できるようにしている。
【０００４】
なお、このようなノズルシュートに関連する従来の文献としては次のものがある。
【特許文献１】
特開２００２−３５３９８号公報（Ａ６３Ｆ  ７／０２）
【特許文献２】
特開２００１−１６１８９９号公報（Ａ６３Ｆ  ５／０４）
【０００５】
【発明が解決しようとする課題】
ところで近年、スロットマシンのドア，受皿等の形状が多様化しており、また、設置場所の制約によりスロットマシンの設置寸法も多様化している。それに対して、上記従来のノズルシュートでは、形状が固定化されているため、スロットマシンのドア，受皿等の形状が異なると別の形状のものを用意する必要があり、また、スロットマシンの入れ替えがあると、それに合わせてノズルシュートも取り替える必要があるという問題点があった。さらに、設置状況によっては、メンテナンス等のためスロットマシンのドアを開ける際にノズルシュートが邪魔になるという問題点があった。
【０００６】
本発明は、そのような問題点に鑑み、遊技機の多様な形状や設置寸法に対応可能なノズルシュートを提供することを目的とするものである。
【０００７】
【課題を解決するための手段】
前記課題を解決するため、請求項１に記載のノズルシュートは、遊技媒体貸機から払い出された遊技媒体を遊技機の遊技媒体受皿に導くノズルシュートであって、一端が前記遊技媒体貸機に対して水平方向に回動自在に取り付けられ、上面長手方向に遊技媒体滑動面を有し、両側縁部に側壁を有するノズルシュート基部と、前後端部に水平方向に回動自在な連結部を有し、上面長手方向に遊技媒体滑動面を有し、両側縁部に側壁を有するノズルシュート関節部材を複数個連結し、後端が前記ノズルシュート基部の先端部に水平方向に回動自在に取り付けられた本体部と、後端部が前記本体部の前端に水平方向に回動自在に取り付けられ、上面長手方向に遊技媒体滑動面を有し、両側縁部に側壁を有するノズルシュート先端部材とを具えたことを特徴とする。このようにすると、遊技機の多様な形状や設置寸法に対応可能となる。
【０００８】
また、請求項２に記載のノズルシュートは、前記ノズルシュート関節部材の連結部を着脱自在にしたことを特徴とする。このようにすると、ノズルシュート関節部材の連結数を簡単に増減できて、遊技機のさらに多様な形状や設置寸法に対応可能となる。
【０００９】
また、請求項３に記載のノズルシュートは、前記ノズルシュート関節部材の遊技媒体滑動面長手方向に突条を設けたことを特徴とする。このようにすると、遊技媒体滑動面の摩擦が小さくなって、ノズルシュートの本体部での遊技媒体の滑りが良くなる。
【００１０】
また、請求項４に記載のノズルシュートは、前記ノズルシュート先端部材の遊技媒体滑動面を、ノズルシュート屈曲側が低くなるように傾斜させたことを特徴とする。このようにすると、ノズルシュートを通って送られてきた遊技媒体がノズルシュートの出口付近に停滞するのを防止できる。
【００１１】
【発明の実施の形態】
以下、本発明の実施の形態を図面に基づいて詳細に説明する。
図１は、本発明の一実施形態を示す図である。図１において、１はメダル貸機、２はノズルシュート取付部材、３は取付部材回動軸、４はノズルシュート基部、５は基部カバー、６は基部回動軸、７はノズルシュート関節部材、８は関節部材回動軸、９はノズルシュート先端部材、１０は先端部材回動軸である。
【００１２】
メダル貸機１は、横方向に列設されたスロットマシンの台間に設けられており、それに硬貨を投入すると所定量のメダルが払出部から排出される。メダル貸機１の前面には、ノズルシュート取付部材２が取付部材回動軸３により、上下方向に回動自在に設けられている。ノズルシュート取付部材２は、図２に示すように、支持面１１の中央に基部回動軸６を有し、支持面１１の後部には、周壁１２が円弧状に設けられている。その周壁１２には、ノズルシュート基部４の後端部に設けられている突起をガイドするためのガイド孔１３が水平方向に設けられている。そして、ノズルシュート取付部材２の最後端部には、取付部材回動軸３を通す軸受材１４が設けられている。
【００１３】
図３は、ノズルシュート基部及び基部カバーを示す図である。ノズルシュート基部４の上面長手方向には、メダル滑動面１５が設けられており、その左右両側には、側壁１６が垂直に設けられている。ノズルシュート基部４の後部には、ノズルシュート取付部材２の基部回動軸６を受ける軸孔１７が設けられている。そして、ノズルシュート基部４の後縁部は、軸孔１７を中心として円弧状に形成されており、その中央部には、前記ガイド孔１３によりガイドされる突起１９が設けられている。また、ノズルシュート基部４の前方には、ノズルシュート関節部材７の関節部材回動軸８を軸支するための軸孔１８が設けられている。
【００１４】
基部カバー５は、裏側に４本のピン２１が設けられており、ノズルシュート基部４の側壁１６にはそれらのピン２１を嵌め込むためのピン受け孔２０が設けられている。そして、ピン２１をピン受け孔２０に差し込むことにより、基部カバー５がノズルシュート基部４の表面に固定され、ノズルシュート基部４のメダル滑動面１５をカバーする。
【００１５】
図４は、ノズルシュート関節部材を示す図である。それぞれ、ノズルシュート関節部材７の平面図（イ），正面図（ロ）及び側面図（ハ）である。本発明のノズルシュートは、このノズルシュート関節部材７を複数個連結することにより長さと屈曲度合いが調節できるようにして、遊技機の多様な形状や設置寸法に対応できるようにしている。
【００１６】
メダルが滑走する上面には、断面が三角の２本の突条２４，２４が設けられていて、メダルが滑って通る際の摩擦が小さくなるようにしている。左右両側縁には側壁２２，２３が垂直に設けられており、そこを通るメダルが側方へ飛び出さないようにしている。関節部材回動軸８は、一体成形により上下方向に突設させており、他のノズルシュート関節部材７の軸孔２５に入れられる。
【００１７】
軸孔２５が設けられている前側部分の下側には、後壁２８から狭持片２６が延設されており、狭持片２６と底面２７の対向面には、関節部材回動軸８を軸孔２５にガイドするように圧入溝２９，３０が形成されている。圧入溝２９，３０の深さは、入口部分が深く軸孔２５に近づくにしたがって徐々に浅くなるようにしている。そして、ノズルシュート関節部材７を連結する際には、一方のノズルシュート関節部材７の圧入溝２９，３０に、他方のノズルシュート関節部材７の関節部材回動軸８を合わせて強く押し込む。その結果、狭持片２６が押し広げられ、関節部材回動軸８が圧入溝２９，３０に沿って軸孔２５に近づいていき、最後に圧入溝２９，３０に入り込む。
【００１８】
そのようにして連結されたノズルシュート関節部材７，７は、関節部材回動軸８を中心として回動可能となり、前側ノズルシュート関節部材７の側壁２２，２３の幅内で連結角度を調整できる。そして、一方の側壁２２の後端部は、連結されたノズルシュート関節部材７，７が最大限に曲げられたときでも両者の側壁２２，２２間に隙間ができないように内側に小さく屈曲されている。また、他方の側壁２３の後半部は、連結されたノズルシュート関節部材７，７の曲げ範囲が大きくなるように外側に屈曲されている。
【００１９】
ノズルシュート関節部材７は、全体が必要な長さになるまで複数個連結してノズルシュートの本体部を形成する。本体部は個々の連結部で屈曲し、全体で大きく屈曲可能になる。また、台の入れ替え等があって、ノズルシュートの長さを短くする必要が生じたら、狭持片２６の隙間にドライバ等を差し込んで狭持片２６を広げることにより、連結を外してノズルシュート関節部材７を減らすことができる。そのように、連結部の着脱を自在にすることにより、ノズルシュートの長さを自在に調整できる。
【００２０】
その本体部の最後端にあるノズルシュート関節部材７の関節部材回動軸８を、ノズルシュート基部４の軸孔１８に差し込んで、ノズルシュート基部４に取り付ける。さらに、本体部の先端にあるノズルシュート関節部材７の軸孔２５に、ノズルシュート先端部材９の先端部材回動軸１０を嵌め込んで、ノズルシュート先端部材９を取り付ける。
【００２１】
図５は、ノズルシュート先端部材を示す図である。それぞれ、ノズルシュート先端部材９の平面図（イ）及び正面図（ロ）である。先端部材回動軸１０は、関節部材回動軸８と同じサイズに形成されており、ノズルシュート関節部材７の軸孔２５に嵌め込むことができる。滑動面３１の左右両側には、側壁３２，３３が立設されている。さらに、ノズルシュート先端部材９の長手方向中間部にねじりを加えて滑動面３１を、前方から見て左右方向に傾斜させている。その結果、ノズルシュートは、スロットマシンのメダル受皿に入った部分で横方向の傾斜が付加されて、メダルが滑り易くなり、ノズルシュートの出口付近にメダルが停滞するのを防止できる。
【００２２】
このように、本発明のノズルシュートは、多関節式になっているため、ノズルシュート関節部材７の連結数の増減、関節の曲がり角度の自由度により、スロットマシンのドアやメダル受皿の様々な形状に対応可能となる。
【００２３】
図６は、ノズルシュートの変形例を示す図である。図１に示した場合と比較して、ノズルシュート関節部材７の連結数を一つ減らして３個とし、ノズルシュート取付部材２を左方に回動させるとともに、各ノズルシュート関節部材７及びノズルシュート先端部材９を最大限屈曲させている。このように、本発明のノズルシュートを用いれば、図１の場合の先端位置Ｘ１，Ｙ１に対して、同Ｘ２，Ｙ２と変化するというように、メダルの排出位置をＸ，Ｙ方向に広範囲に調整することができる。
【００２４】
また、メンテナンス等のためスロットマシンのドアを開ける際には、ノズルシュートを前方へ真っ直ぐに延ばすことができ、ノズルシュートが邪魔にならなくなる。
【００２５】
なお、上記実施形態では、遊技機としてスロットマシンの場合で説明したが、本発明は、パチンコ等、遊技媒体を用いるその他の遊技機にも適用可能である。
【００２６】
【発明の効果】
本発明は、以上説明したように構成されているので、次に記載するような効果を奏する。
すなわち、請求項１に記載のノズルシュートは、一端が前記遊技媒体貸機に対して水平方向に回動自在に取り付けられ、上面長手方向に遊技媒体滑動面を有するノズルシュート基部と、上面長手方向に遊技媒体滑動面を有し、両側縁部に側壁を有し、前後端部に水平回動自在な連結部を有するノズルシュート関節部材を複数個連結し、最後端が前記ノズルシュート基部の先端部に水平方向に回動自在に取り付けられた本体部と、上面長手方向に遊技媒体滑動面を有し、両側縁部に側壁を有し、前記本体部の前端に水平方向に回動自在に取り付けられたノズルシュート先端部材とでノズルシュートを構成した。その結果、ノズルシュート全体を大きく屈曲変形できるようになって、遊技機の多様な形状や設置寸法に対応可能となる。
【００２７】
また、請求項２に記載のノズルシュートは、前記ノズルシュート関節部材の連結部を着脱自在にしたので、ノズルシュート関節部材の連結数を簡単に増減できて、ノズルシュートの長さを自由に調整可能になって、遊技機のさらに多様な形状や設置寸法に対応可能となる。
【００２８】
また、請求項３に記載のノズルシュートは、前記ノズルシュート関節部材の遊技媒体滑動面長手方向に突条を設けたので、遊技媒体滑動面の摩擦が小さくなって、ノズルシュートの本体部での遊技媒体の滑りが良くなる。
【００２９】
また、請求項４に記載のノズルシュートは、前記ノズルシュート先端部材の遊技媒体滑動面を、ノズルシュート屈曲側が低くなるように傾斜させたので、受皿に入った部分で横方向の傾斜が付加されて、ノズルシュートを通って送られてきた遊技媒体がノズルシュートの出口付近に停滞するのを防止できる。
【図面の簡単な説明】
【図１】本発明の一実施形態を示す図である。
【図２】ノズルシュート取付部材を示す図である。
【図３】ノズルシュート基部及び基部カバーを示す図である。
【図４】ノズルシュート関節部材を示す図である。
【図５】ノズルシュート先端部材を示す図である。
【図６】ノズルシュートの変形例を示す図である。
【図７】従来のメダル貸機及びノズルシュートを示す図である。
【符号の説明】
１…メダル貸機
２…ノズルシュート取付部材
３…取付部材回動軸
４…ノズルシュート基部
５…基部カバー
６…基部回動軸
７…ノズルシュート関節部材
８…関節部材回動軸
９…ノズルシュート先端部材
【図１】
2004154389.tif 000003
【図２】
2004154389.tif 000004
【図３】
2004154389.tif 000005
【図４】
2004154389.tif 000006
【図５】
2004154389.tif 000007
【図６】
2004154389.tif 000008
【図７】
2004154389.tif 000009